(57)【要約】【課題】格納位置で、蹴上げ高さＨ０の階段として、使用位置で、補助踏み台３５を使った歩行障害者用に蹴上げ高さ「２分の１」×Ｈ０の階段として、容易に切り替えられかつ安全に歩行できる。【解決手段】階段基体１は、高さ（蹴上げ）H０で並べた踏板１０をささら桁２ではさみ形成する。ささら桁２の内面３の回転軸３１周りに回転自在に、補助踏み台３５を取り付けて階段４０とする。使用位置で、補助踏み台３５は踏板１０の上面１１に載置され（実線図示）、ささら桁３に磁石で係止固定される。補助踏み台３５と踏板１０とを使い、蹴上げ高さ「２分の１」×Ｈ０の階段となる。格納位置では、固定を解除して、各補助踏み台３５を、矢示４２方向に回転して、上段側の踏板１０の下方に格納し（鎖線図示）、磁石でささら桁２に係止固定される。踏板１０のみで蹴上げ高さＨ０の階段となる。【選択図】図２
2006342509.tif 000002
【特許請求の範囲】
【請求項１】
所定蹴上げ高さの階段基体の踏板に載せて使用する踏み台であって、該踏み台は、前記階段基体の蹴上げ高さより低い踏み面を有する補助踏み台本体に、縦方向の回動軸及び階段基体との取付手段を有することを特徴とする補助踏み台。
【請求項２】
取付手段を蝶番として階段基体に取付けし、該蝶番の縦軸を回転軸とし、補助踏み台本体の一縦稜線に沿って前記回転軸を配置して、前記回転軸を挟み、隣り合う一面及び／又は他面に、ささら桁に仮止めできる仮止め手段を取り付けたことを特徴とする前記請求項１記載の補助踏み台。
【請求項３】
所定蹴上げ高さの階段基体の踏板に載せて使用する踏み台であって、該踏み台は、前記階段基体の蹴上げ高さより低い踏み面を有する補助踏み台本体の踏み面面以外の面に、前記階段基体の表面及び裏面に選択的して仮止めできる、仮止め手段を形成したことを特徴とする補助踏み台。
【請求項４】
階段状に配置した踏板をささら桁の内面側で挟んでなる階段基体に、補助踏み台を取り付けて構成する階段であって、以下の構成としたことを特徴とする補助踏み台付き階段。
(1) 前記補助踏み台は上面に踏み面を有し、階段基体との取付手段を介して前記階段基体に固定してなる。
(2) 前記取付手段は回転軸を有し、前記補助踏み台は前記回転軸廻りに回動して、使用状態と格納状態との二位置を取ることができる。
(3) 前記補助踏み台は、使用状態で、階段基体の基準段の踏板上に前記踏み面を位置させて、配置され保持される。
(4) 前記補助踏み台は、格納状態で、前記踏板上から他の位置に移動して格納され、前記ささら桁に当接して保持される。
【請求項５】
以下の構成としたことを特徴とする請求項４記載の補助踏み台付き階段。
(1) 前記補助踏み台は、使用状態で、階段基体の基準段の踏板上に載置され、前記ささら桁に当接して保持される。
(2) 前記補助踏み台は、格納状態で、回動して、前記基準段の上段の踏板の下方に格納され、前記ささら桁に当接して保持される。
【請求項６】
直進階段又は廻り階段で、踏板を階段状に配置した階段基体に、補助踏み台を取り付けて構成する階段であって、以下の構成としたことを特徴とする補助踏み台付き階段。
(1) 上面に踏み面を有する補助踏台で、前記上面以外の面に係止手段を取り付ける。
(2) 前記踏板の上面で、使用状態の前記補助踏台の位置に合わせて、前記係止手段に対応する第一被係止手段を形成した。
(3) 階段の裏面側に、前記係止手段に対応する位置に第二被係止手段を形成した。
【請求項７】
階段状に配置した踏板を有する廻り階段からなる階段基体に、補助踏み台を取り付けて構成する階段であって、前記踏板の上面で、外周側に沿って補助踏台を固定したことを特徴とする補助踏み台付き階段。
【発明の詳細な説明】
【技術分野】
【０００１】
この発明は、階段の蹴上げ高さを調節して高齢者等の歩行に障害がある使用者に利用しやすくする為に使用する階段用の補助踏み台、及びこの補助踏み台を取付けた補助踏み台付きの階段に関する。
【背景技術】
【０００２】
建築物のバリアフリー化が求められており、水平方向に移動する際には段差を無くす為の、様々な工夫が成されていた。しかし、垂直方向の移動は、エレベータや階段を使用することが必要であり、とりわけ家庭では、エレベータは設置スペースを多く取り、また高価である為に、普通の家庭では、階段を使用するしか方策がなかった。
【０００３】
この場合、高齢者等にとっては、階段傾斜をできるだけ緩くして、階段の蹴上げ高さを低くすれば、歩き易いものとなる。しかしこの場合、傾斜を緩くした場合には、階段の設置スペースを多く必要とし、現実的では無かった。また、傾斜を緩くした場合には、逆に、健常者にとっては昇降し難いという事態になっていた。
【０００４】
そこで、通常の蹴上げ高さの階段に、蹴上げ高さが約半分の部分踏面を形成した階段が提案されている（特許文献１〜３）。この提案によれば、蹴上げを低くして歩行したい使用者は、通常の階段の踏み板と部分踏台の上面とを交互に使用して、蹴上げ高さが約半分の階段として使用できる。また、通常の蹴上げ高さの階段を好む使用者は、部分踏台を使用せずに、通常の踏板のみを使用することができる。
【特許文献１】特開２００２−４５３０
【特許文献２】登録実用新案３０１１０４７
【特許文献３】特開平１０−１１５０６２
【発明の開示】
【発明が解決しようとする課題】
【０００５】
前記従来の技術で、補助踏み台付きの階段の場合、健常者にとっては、階段巾を狭くして蹴上げ高さを部分的に高くするものとなり、歩行し難いものとなっていた。
【０００６】
また、一般に、事故や家族構成の変化により、歩行障害を有する使用者が生じた場合、通常の階段を補助踏み台付きの階段に切り替えることができなかった（特許文献１、特許文献３の第１第２実施例）。また、特許文献２の発明では、事後的に既設の階段に補助踏み台を載せ、あるいは接着し、又は嵌め込み部を形成した構造が提案されているが、安定性に欠け、安全を確保できなかった。更に、例えば、交通事故等のけがにより歩行障害が生じた場合、けがが完治した後には補助踏み台は不要なものとなり、前記のような接着による場合には事後的に補助踏み台を除去することが困難であった。
【０００７】
また、特許文献３の第３実施例では、主階段に受入部を設けて補助踏み台を収容し、引き出して使用する旨の発明が提案されているが、引き出した踏み台は、両面テープ、接着剤、釘等の取付手段により主階段に取り付けるので、安全性に欠けあるいは撤去した際に跡が残り現実的ではなかった。
【０００８】
また、特許文献１、３の発明では、補助踏み台を設置した際に、補助踏み台を設置した踏板の段鼻部分に隙間が生じるので、間違って段鼻部分に足を掛け、不慮の事故を生じるおそれがあった。
【課題を解決するための手段】
【０００９】
然るにこの発明は、回転軸を有する補助踏み台を階段基体に取付け、あるいは係止手段を有する補助踏み台を階段基体の表面側又は裏面側の被係止手段に取り付けて階段を構成したので、あるいは廻り階段の外周側に補助踏み台を設置したので、前記問題点を解決した。
【００１０】
即ちこの発明は、第一の発明は、所定蹴上げ高さの階段基体の踏板に載せて使用する踏み台であって、該踏み台は、前記階段基体の蹴上げ高さより低い踏み面を有する補助踏み台本体に、縦方向の回動軸及び階段基体との取付手段を有することを特徴とする補助踏み台である。
【００１１】
また、前記において、取付手段を蝶番として階段基体に取付けし、該蝶番の縦軸を回転軸とし、補助踏み台本体の一縦稜線に沿って前記回転軸を配置して、前記回転軸を挟み、隣り合う一面及び／又は他面に、ささら桁に仮止めできる仮止め手段を取り付けたことを特徴とする補助踏み台である。
【００１２】
また、第二の発明は、所定蹴上げ高さの階段基体の踏板に載せて使用する踏み台であって、該踏み台は、前記階段基体の蹴上げ高さより低い踏み面を有する補助踏み台本体の踏み面面以外の面に、前記階段基体の表面及び裏面に選択的して仮止めできる、仮止め手段を形成したことを特徴とする補助踏み台である。
【００１３】
また、第三の発明は、階段状に配置した踏板をささら桁の内面側で挟んでなる階段基体に、補助踏み台を取り付けて構成する階段であって、以下の構成としたことを特徴とする補助踏み台付き階段である。  
(1) 前記補助踏み台は上面に踏み面を有し、階段基体との取付手段を介して前記階段基体に固定してなる。  
(2) 前記取付手段は回転軸を有し、前記補助踏み台は前記回転軸廻りに回動して、使用状態と格納状態との二位置を取ることができる。  
(3) 前記補助踏み台は、使用状態で、階段基体の基準段の踏板上に前記踏み面を位置させて、配置され保持される。  
(4) 前記補助踏み台は、格納状態で、前記踏板上から他の位置に移動して格納され、前記ささら桁に当接して保持される。
【００１４】
また、前記において、以下の構成としたことを特徴とする補助踏み台付き階段である。  
(1) 前記補助踏み台は、使用状態で、階段基体の基準段の踏板上に載置され、前記ささら桁に当接して保持される。  
(2) 前記補助踏み台は、格納状態で、回動して、前記基準段の上段の踏板の下方に格納され、前記ささら桁に当接して保持される。
【００１５】
また、第四の発明は、直進階段又は廻り階段で、踏板を階段状に配置した階段基体に、補助踏み台を取り付けて構成する階段であって、以下の構成としたことを特徴とする補助踏み台付き階段である。  
(1) 上面に踏み面を有する補助踏台で、前記上面以外の面に係止手段を取り付ける。  
(2) 前記踏板の上面で、使用状態の前記補助踏台の位置に合わせて、前記係止手段に対応する第一被係止手段を形成した。  
(3) 階段の裏面側に、前記係止手段に対応する位置に第二被係止手段を形成した。
【００１６】
また、第五の発明は、階段状に配置した踏板を有する廻り階段からなる階段基体に、補助踏み台を取り付けて構成する階段であって、前記踏板の上面で、外周側に沿って補助踏台を固定したことを特徴とする補助踏み台付き階段である。
【００１７】
前記における回転軸付きのささら桁取付手段は、リーフヒンジ等の蝶番が適するが、同様な機能を有する他の材料を使用することもできる。
【００１８】
前記における仮止め手段は、例えば、ワンタッチ・オープン・キャッチが適するが、磁石を利用した他の手段を使用することもできる。
【００１９】
前記における階段基体の「裏面側」とは、階段基体で歩行に使用しない位置をいい、階段歩行者の通常の歩行動作時に目視できない位置が望ましい。
【００２０】
前記における補助踏み台は、踏み面を有すれば、中実・中空の箱形等構造は任意であり、例えば箱形として、内部に引き台や扉を設けて物品収容部を形成することもできる。
【発明の効果】
【００２１】
この発明の補助踏み台は、回転軸を有し、あるいは仮止め手段を有するので、階段基体に取り付けた際に、回動して、使用状態及び格納状態の二位置を容易に変化させることができ、健常者用の通常の階段と歩行障害を有する者用の階段を容易に切り替えることができる効果がある。また、ささら桁との取付手段を設けた場合には、使用状態及び格納状態の二位置を確実に保持して、より安全な階段を構成できる。
【００２２】
また、補助踏み台を、格納状態で、前記基準段の上段の踏板の下方に格納し、前記ささら桁に当接して保持した場合には、格納状態の補助踏み台が歩行の邪魔にならず、また歩行者から目視されない効果がある。
【００２３】
また、廻り階段の外周側に外周に沿った補助踏台を固定した場合は、健常者にも歩行の障害が無い補助踏み台付き階段を構成できる。
【発明を実施するための最良の形態】
【００２４】
（１）  この発明の補助踏み台３５付の階段４０は、任意の階段基体１に、使用位置と格納位置との二位置を取ることができるように、外観直方体の補助踏み台３５を取り付けて構成する。
【００２５】
（２）  第一の発明では、階段基材のささら桁に回転軸３１周りに回転自在に、補助踏み台３５を取り付ける（図１〜図３）。一方の使用位置で、補助踏み台３５は当該段の踏板１０の上面１１に載置する。この位置で、ささら桁３（鋼板製）と補助踏み台３５とは磁石で係止固定され、補助踏み台３５の踏み面２３と踏板１０の上面１１とを使って、蹴上げ高さ「２分の１」×Ｈ０の階段として、安全に使用できる。
【００２６】
また、他方の格納位置では、磁石での係止固定を解除して、各補助踏み台３５を回転軸３１周りに回転して、当該段の上段側の踏板１０の下面１２の下方に格納する。この位置の補助踏み台３５は、磁石でささら桁２に係止固定され、踏板１０のみを使用して、蹴上げ高さＨ０の階段として安全に歩行できる。
【００２７】
また、再度使用位置に戻す際には、格納位置の磁石でのささら桁２との係止固定を解除して、補助踏み台３５を回転させて、使用位置に戻すことができる。
【００２８】
（３）  また、第二の発明では、二位置は、使用位置が当該段の踏板１０の上面１１で、格納位置が、当該段又は他の段の踏板１０の下面１２である（図４〜図８）。
【００２９】
（４）  また、第三の発明では、廻り階段に適用した実施例で、第三の発明は階段基体１の踏板１０の上面１１に固定して構成する（図９）。この場合、踏板１０の外周側１０ａに補助踏み台３５を取り付ければ、踏板１０の内周側１０ｂを使って、補助踏み台を使用しない歩行も安全にできるので、補助踏み台３５は二位置を取らずに、固定したままとすることもできる。
【実施例１】
【００３０】
図１〜図３に基づき、この発明の実施例を説明する。この実施例は、補助踏み台を回転軸廻りに回動することにより、使用状態と格納状態の二位置を取れるようにした実施例である。
【００３１】
［１］階段基体１
【００３２】
この発明の階段基体１に使用するささら桁２は、鋼板製で稲妻状に形成されている。この発明の階段基体１に使用する踏板１０は、木製で、幅（長さ）Ｌ０１、奥行き（幅）Ｌ０２で形成されている。階段状に配置した踏板１０、１０の両端１０ａ、１０ｂをささら桁２、２で挟んで固定し、この発明に使用する階段基体１とする（図２、図３）。
【００３３】
踏板１０は、ささら桁２に固定した支持金物９、９により下面１２を支持されている。また、踏板１０の上面１１は、ささら桁２の上縁４から距離Ｈ３だけ下方に位置し、踏板１０の上面１１とささら桁２の上縁４との間に、距離Ｈ３の間隙を形成し、この間隙が係止具２５（摺動片２６。マグネット）の保持部５、５を構成する。また、踏板１０の下方は空隙１５が形成されている（図２（ｂ））。
【００３４】
また、各寸法は、具体的には、例えば以下のように形成する。  
・Ｌ０１＝９０７ｍｍ
・Ｌ０２＝２３７ｍｍ
・踏み面Ｌ０３＝２２０ｍｍ
・蹴上げ高さＨ０＝  ２１６ｍｍ
・Ｈ３＝  １７ｍｍ
【００３５】
［２］補助踏み台３５の実施例
【００３６】
一辺Ｌ１、Ｌ２、高さＨ１の直方体からなる補助踏み台本体１６の一縦稜線１７を挟んで隣り合う側面を、側面１８、側面１９とする。また、側面１８の対向他面を側面２０とし、側面１９の対向他面を側面２１とする。側面２０の上縁２０ａが使用時に段鼻となる（図１（ｂ））。
【００３７】
また、補助踏み台本体１６の一縦稜線１７に沿って回転軸（縦軸）３１が位置するように蝶番（ルーフヒンジ）３０を配置し、蝶番３０の一片３２を側面１８に固定する。蝶番３０は高さＨ１方向で、ほぼ中央に位置する。蝶番３０の他片３３はささら桁２に取り付けられるようになっている。即ち、蝶番３０は、回転軸３１周りに回転する一片２１と他片３３とからなる。
【００３８】
側面１９の下端部に、使用時にささら桁２に固定する際に使用するワンタッチ・オープン・キャッチからなる係止具２５を取り付ける。また、側面１８の下端部に、格納時にささら桁２に固定する際に使用するワンタッチ・オープン・キャッチからなる係止具２７を取付ける。係止具（ワンタッチ・オープン・キャッチ）２５、２７は、夫々摺動片２６、２８が出没し、摺動片２５、２７の先端に磁石が露出している。そして、摺動片２６、２８の先端を押した状態で摺動片２６、２８が没してロックされる。また、摺動片２６、２８の先端を再度押すとロックが解除され、摺動片２６、２８が突出する。
【００３９】
以上のようにして、この発明の補助踏み台３５を構成する（図１（ａ）（ｂ））。前記において、各寸法は以下のように形成する。  
・Ｈ１    Ｈ１＝Ｈ０×（１／２）
・Ｌ１    Ｌ０２より若干小さく形成する。  
・Ｌ２    「Ｌ０１−Ｌ２」で法定の階段巾を確保できるように形成する。
【００４０】
また、各寸法は、具体的には、例えば以下のように形成する。  
・Ｈ１：１０８ｍｍ
・Ｌ１：２２０ｍｍ
・Ｌ２：１５０ｍｍ
【００４１】
［３］補助踏み台３５付きの階段４０
【００４２】
一方のささら桁２に沿って、踏板１０の上面１１に補助踏み台３５を設置する。この際、蝶番３０の回転軸３１がささら桁２の内面（踏板１０の端縁１０ａ側）２付近に位置し、使用状態で、補助踏み台３５の側面２０の下縁２０ｂが踏板１０の段鼻１３の先端１３ａに位置するように配置する。また、この状態で、蝶番３０の他片３３をささら桁２の内面（踏板１０の端縁１０ａ側）３に固定する。この際、蝶番３０の他片３３は、その段の踏段１０の段鼻１３の反対側の縁１４より奥側に位置し、かつ上段の踏板１０の段鼻１３の先端１３ａより奥側に位置しているので、階段の使用者は蝶番３０を目視できない。
【００４３】
以上のようにして、この発明の補助踏み台付きの階段４０を構成する（図２（ａ）（ｂ））。
【００４４】
［４］階段４０の使用
【００４５】
（１）  補助踏み台３５を使用する際には、前記のように、補助踏み台３５の側面２０の下縁２０ｂが踏板１０の段鼻１３の端縁１３ａに位置するように配置する（図２（ｂ））。この状態で、蝶番３０の両片３２、３３は略直角に配置され、前記のように、蝶番３０の他片３３は階段使用者から見えず、更に蝶番３０の一片３２を固定した側面１８及び蝶番３０の回転軸３１は、踏板１０の段鼻１３の反対側の縁１４より奥側に位置し、かつ直上の踏板１０の段鼻１３の先端１３ａより奥側に位置しているので、側面１８を目視することができない。よって、蝶番３０は使用者から見えない。
【００４６】
また、この状態で、係止具２５の摺動片２６は没した状態にあり、摺動片２６の先端の磁石がささら桁２の内面３に当接してロックされ、補助踏み台３５は、側面１９がささら桁２の内面３に対面した状態で、移動を規制される。
【００４７】
また、この際、歩行障害を有する使用者は、階段基体１の踏板１０の上面１１と、補助踏み台３５の踏み面（上面）２３とを交互に使用して、蹴上げ高さ「２分の１」×Ｈ０の階段として使用することができる。この際、補助踏み台３５の側面２０の下縁２０ｂと踏板１０の段鼻１３の先端１３ａとが重なっているので、誤って、補助踏み台３５の側面２０の下方の踏板１０の段鼻１３に触れることなく、確実に踏板１０と補助踏み台３５を使って安全に歩行できる。また、階段使用者が、補助踏み台３５の段鼻２０ａ側（側面２０）をつま先で押す場合もあるが、このような動作によっては、補助踏み台３５は移動しないので安全に歩行できる。
【００４８】
また、踏板１０及び補助踏み台３５を使用する時に、保持に使用していない係止具２７の摺動片２８が歩行の邪魔になることはない（図２（ｂ））。
【００４９】
（２）  次に、補助踏み台３５が不要になった場合には、補助踏み台３５を踏板１０の下方の空隙１５に格納できる。即ち、補助踏み台３５の係止具２５（摺動片２６がささら桁２の内面３に固定されている）を取り付けた側面１９の反対の側面２１を押さえると、摺動片２６が押されてロックが解除され、摺動片２６が突出し、摺動片２６とささら桁２との磁石による固定が解除される。従って、補助踏み台３５は、平面視で、回転軸３１の廻りに矢示４２方向に回転する（図２（ａ））。
【００５０】
補助踏み台３５を更に矢示４２方向に９０度回転させると、側面１８の係止具２７の摺動片２８の先端がささら桁２の内面３で、蝶番３０の他片３３の下方に当接し、磁石により固定される。更に係止具２７の反対側の側面２０をささら桁２に向けて押すと係止具２７の摺動片２８は没して、ロックされ、補助踏み台３５はその位置に保持される（図３）。この際、蝶番３０の両片３２、３３は、角度がなく並列される。
【００５１】
また、この状態で、補助踏み台３５は上段側の踏板１０の下面１２の下方の空隙１５に位置し、平面視で、補助踏み台３５を目視できない。
【００５２】
階段使用者３５は通常の階段として、踏板１０を使って、蹴上げ高さＨ０の階段として使用できる。また、使用者が、誤って、補助階踏み台３５の側面１９をつま先で押した場合であっても補助踏み台３５のロックが解除されるおそれがないので、安全に歩行できる。
【００５３】
また、この状態で、踏板１０の上面１１には、補助踏み台３５を固定する手段を何ら形成していないので、補助踏み台３５を収納した状態で、何ら補修をすることなく踏み面を確保できる。
【００５４】
（３）  また、再度、補助踏み台３５を使用する場合には、補助踏み台３５の側面２０（ささら桁２と平行な面＝係止具２７の他側の面）を押すと、係止具２７の摺動片２８が押されて、ロックが解除され、摺動片２８が突出して、更に補助踏み台３５を引けば、補助踏み台３５は回転軸３１廻りに矢示４３方向に回転して（図３（ａ））、側面１８がささら桁２の内面３から離れる。
【００５５】
更に補助踏み台３５を矢示方向４３に回動して、補助踏み台３５を踏板１０の下方の空隙１５から引き出し、補助踏み台３５の側面２０の下縁２０ｂを踏板１０の段鼻１３の先端１３ａと一致させ、係止具２５の摺動片２６をささら桁２の内面３に当接させて、磁石で固定し、没状態にしてロックして、この位置で補助踏み台３５を保持する。
【００５６】
［５］他の実施例
【００５７】
（１）  また、前記実施例の階段基体１の構造は、踏板１１の下面１２の下方の空隙１５に、補助踏み台３５を収容するスペースを確保し、更にささら桁２に磁石を固定できる保持部５を確保できれば、構造は任意である。また、磁石を使用した係止具２５、２７を用いる場合には、鋼板のささら桁２が望ましいが、アルミニウムや木製等の材料として、係止具２５、２７の摺動片２６、２８が当接する位置に鋼板片を固定することもできる（図示していない）。
【００５８】
（２）  また、前記実施例において、階段基体１の踏板１０の一端１０ａ側（一方のささら桁２）にのみ、補助踏み台３５を取り付けたが、有効階段巾を確保できれば、踏板１１の両端１０ａ、１０ｂ側（図２（ａ））に取付けることもできる（図示していない）。
【００５９】
（３）  また、前記実施例において、係止具２５、２７として、ワンタッチ・オープン・キャッチを使用したので、保持状態と解除状態の切替が容易となるが、他の係止手段を使用することもできる。例えば、磁石のみを用いたり、鈎状の係止具等を使用することもできる（図示していない）。
【００６０】
（４）  また、前記実施例において、回転軸３１を縦軸としたが、横軸として、補助踏み台３５を板状に形成し、使用状態で、踏板１０の上面１１の上方に並行に位置させ、格納状態で、回転軸廻りに回動して、ささら桁２の内面３に沿って配置して保持することもできる（図示していない）。
【００６１】
（５）  また、前記実施例において、階段基体１との取付手段を蝶番３０としたが、回転軸を有し、補助踏み台３５を使用状態・格納状態の二位置とすることができる構造であれば、任意であり、また階段基体１と固定する位置もささら桁２、踏板１０等任意である。例えば、縦稜線１７に下方に突出する回転軸を直接に取付けし、回転軸の下端部を踏板１０の上面１１に軸止して補助踏み台３５を回転自在とすることもできる（図示していない）。
【００６２】
（６）  また、前記実施例において、予め補助踏み台３５を固定した新設の階段に適用する場合のほか、前記階段基体１の条件を満たせば、既設の階段のささら桁２の内面３に、補助踏み台３５の蝶番３０の他片３３を固定して、この発明の補助踏み台付きの階段を構成することもできる（図示していない）。
【実施例２】
【００６３】
次に、図４〜図８に基づきこの発明の他の実施例を説明する。この実施例は、補助踏み台３５をボルト４８を使用して、階段基体１の表裏に夫々形成したねじ穴４５、４６を選択的に使用して、使用状態又は格納状態の二位置をとることができる実施例である。
【００６４】
［１］階段基体１
【００６５】
この発明の階段基体１に使用するささら桁２は、実施例１と同様に、鋼板製で稲妻状に形成されている。この発明の階段基体１に使用する踏板１０、１０は、木製で、幅（長さ）Ｌ０１、奥行き（幅）Ｌ０２で形成されている。階段状に配置した踏板１０の両端１０ａ、１０ｂをささら桁２、２で挟んで固定し、この発明に使用する階段基体１とする（図４（ａ）（ｂ））。ささら桁２の近傍で、補助踏み台３５を載置する位置で、踏板１０の上面１１及び下面１２に、補助踏み台３５を固定する為のねじ穴４５、ねじ穴４６を夫々形成する。
【００６６】
階段基体１の各踏板１０、１０は蹴上げ高さＨ０で配置されている。
【００６７】
［２］補助踏み台３５
【００６８】
一辺Ｌ１、Ｌ２、高さＨ１の直方体からなる補助踏み台本体１６で、踏み面（上面）２３から底面（下面）２２に向けて、ボルト４８を挿通する縦孔３７、３７を穿設する。縦孔３７の間隔・位置は、踏板１０の上面１１及び下面１２のねじ穴４５、４６の間隔・位置と一致している。
【００６９】
前記において、各寸法は以下のように形成する。  
・Ｈ１  ：  Ｈ１＝Ｈ０×（１／２）
・Ｌ２  ：  Ｌ０１＝Ｌ２
【００７０】
縦孔３７の上方（補助踏み台本体１６の踏み面２３側）からに、ボルト４８を挿入して、この発明の補助踏み台３５を構成する（図５）。ボルト４８の先端４９は補助踏み台本体１６の底面２２から突出し、ボルト４８の頭５０は縦孔３７の大径部３８に収納される。
【００７１】
また、各寸法は、具体的には、例えば以下のように形成する。  
・Ｈ１：１０８ｍｍ
・Ｌ１：２２０ｍｍ
・Ｌ２：１５０ｍｍ
【００７２】
［３］補助踏み台３５付きの階段４０の構成及び使用
【００７３】
（１）  階段基体１の踏板１０、１０の端部１０ａに、補助踏み台３５を載せ、ボルト４８の先端４９を踏板１０の上面１１のねじ穴４５、４５に挿入し、ボルト４８を螺合緊結して、補助踏み台３５を踏板１０、１０に固定して、この発明の補助踏み台付きの階段を構成する（図４、図５実線図示）。
【００７４】
前記において、補助踏み台の前側の側面２０の下端２０ｂ（底面２０の前側の端）が、踏板の段鼻部１３の先端１３ａに一致する。また、補助踏み台の後側の側面１８、一つ上の段の踏板１０の段鼻部１３の先端１３ａよりの奥側に位置している。
【００７５】
（２）  この場合、前記実施例１と同様に、歩行障害を有する使用者は、階段基体１の踏板１０の上面１１と、補助踏み台１０の踏み面（上面）２３とを交互に使用して、蹴上げ高さ「２分の１」×Ｈ０の階段として使用することができる。この際、補助踏み台３５の側面２０の下縁２０ｂと踏板１０の段鼻１３の先端１３ａとが重なっているので、誤って、補助踏み台３５の側面２０の下方の踏板１０の段鼻１３に触れることなく、確実に踏板１０と補助踏み台３５を使って安全に歩行できる。また、階段使用者が、補助踏み台３５の段鼻２０ａ側（側面２０）をつま先で押す場合もあるが、このような動作によっては、補助踏み台３５は移動しないので安全に歩行できる。
【００７６】
（３）  補助踏み台３５を使用しない場合には容易に格納状態に変化させることができる。即ち、ボルト４８を緩め、踏板１０から補助踏み台３５を取り外し（図５鎖線図示３５ｂ）、続いて、補助踏み台３５を踏板１０の下面１２側に位置させ（図５図示３５ｃ）、踏板１０の下面１２のねじ穴４６にボルト４８の先端４９を合わせて、ボルト４８を螺合緊結して、踏板１０の下面１２に、一時的に補助踏み３５を固定する（図５鎖線図示３５ａ）。
【００７７】
この状態で、補助踏み台３５は、踏板１０の下面１２に固定されるので、歩行者からは目視できない。
【００７８】
また、この際、踏板１０の上面のねじ穴４５に各種の塞ぎ材料を嵌挿して、踏板１０の上面を整えておくこともできる。また、塞ぎ材料に替えて、踏板１０の上面に各種シートで覆うこともできる（図示していない）。
【００７９】
（４）  格納状態から使用状態にする場合には、格納状態でボルト４８を緩め、踏板１０の下面１２から補助踏み台３５を取り外し、踏板１０の上面１１に補助踏み台３５を載置して、容易に使用状態とすることができる。
【００８０】
［４］他の実施例
【００８１】
（１）  前記実施例において、踏板１０の下面１２側の格納用のねじ穴４６の位置は、着脱作業を考慮すれば、踏板１０の上面１１のねじ穴４５（補助踏み台を固定した位置）に対応した位置が望ましいが、踏板１０の下面１２で補助踏み台３５を格納できる位置であればねじ穴４６の位置は任意である。
【００８２】
（２）  また、前記実施例において、格納状態で、踏板１０の下面１２にねじ穴４６を設けたが、踏板１０の下面１２側で、ささら桁２の内面３にねじ穴４６、４６を形成することもできる（図示していない）。
【００８３】
（３）  また、前記実施例において、補助踏み台３５に縦孔３７を形成し、ボルト４８により補助踏み台３５を踏板１０に固定したが、補助踏み台３５に横穴を形成して、ささら桁２にねじ穴４５を形成することもできる（図示していない）。この場合、横穴に挿入したボルト４８の先端をささら桁２に形成したねじ穴４５に螺合緊結し、補助踏み台３５をささら桁２に固定する。格納状態は、前記実施例と同様に、踏板１０の下面１２・踏板１０の下面１２側のささら桁２等の階段基体１の裏側に収容する。
【００８４】
（４）  また、前記実施例において、直進型の階段以外で、折り返し型の階段に使用することもできる（図６〜図８）。
【００８５】
この場合、階段基体１は、折り返し部分７に、角度４５度の扇形の踏板１０Ａ、１０Ａを使用し、外周のささら桁２は折り返し部分７では平面視半円状に屈曲される（図６）。補助踏み台３５は、階段基体１の外周側に設置され、扇形の踏板１０Ａに設置する補助踏み台３５は、直方体ではなく、外周側がささら桁２に沿った「半径が大きな曲面」で、内周側が「半径が小さな曲面」に形成される。また、折り返し部分７の補助踏み台３６は長くなる（踏板１０の外周側に取り付ける為）ので、階段の裏面側への格納し易いように２つの補助踏み台３５Ａ、３５Ａに分割できるようになっている（図６（ａ）（ｂ））。
【００８６】
前記実施例と同様に、この実施例でも、使用状態では、踏板１０、１０Ａの上面１１に補助踏み台３５を設置し、ボルト４８で踏板１０、１０Ａのねじ穴４５、４５に固定し（図６（ｂ）、図７（ｂ）、図８（ｂ））、格納状態では、補助踏み台３５を、踏板１０、１０Ａの下面１２のねじ穴４６、４６にボルト４８、４８で固定する（図６（ａ）、図７（ａ）、図８（ａ））。
【００８７】
尚、ここで、折り返し部分７のささら桁２を平面視で曲面状としたが、直線状に屈折した形状とすることもできる（図示していない）。また、折り返し部分７を中間踊り場とすることもできる。中間踊り場に段差を設ける場合には、中間踊り場の段差部分に、同様に補助踏み台３５を設置する（図示していない）。
【００８８】
（５）  また、前記実施例において、予め補助踏み台３５を固定した新設の階段に適用する場合のほか、前記階段基体１の条件を満たせば、既設の階段の踏板１０等にねじ穴４５、４６を形成すれば、補助踏み台３５のボルト４８をねじ穴４５又はねじ穴４６に、螺合して、この発明の補助踏み台付きの階段４０を構成することもできる。
【００８９】
（６）  また、前記実施例において、ボルト４８とねじ穴４５、４６とで、補助踏み台３５を着脱したが、「ピン」と「ピンを嵌合できる嵌合穴」とで補助踏み台３５を着脱可能に階段基体１に設置することもできる（図示していない）。
【実施例３】
【００９０】
次に、図９に基づき、この発明の他の実施例を説明する。この実施例は、階段基体を廻り階段とした場合で、補助踏み台を固定し、着脱不能とした実施例である。
【００９１】
（１）  階段基体１は、支柱の廻りに、階段状に並べた踏板１０Ａ、１０Ａの端１０ｂを固定し、踏板１０Ａ、１０Ａの端１０ａ側にささら桁２を固定して、構成する。蹴上げ高さはＨ０に形成する。
【００９２】
（２）  補助踏み台３５（補助踏み台基体１６）は、階段基体１の外周側に設置できるように、平面視で外周側がささら桁２に沿った「半径が大きな曲面」からなる側面、内周側が「半径が小さな曲面」からなる側面を形成する。補助踏み台３５の踏み面２３の高さＨ１は、Ｈ１＝Ｈ０×「２分の１」、で形成する。
【００９３】
（３）  階段基体１の踏板１０の外周側１０ａに補助踏み台３５を配置して、補助踏み台３５を踏板１０の上面又はささら桁２の内面３に固定して、この発明の補助踏み台付きの階段４０を構成する（図９）。
【００９４】
（４）  この際、歩行障害を有する使用者は、踏板１０Ａの上面１１と、補助踏み台３５の踏み面（上面）２３とを交互に使用して、蹴上げ高さ「２分の１」×Ｈ０の階段として使用することができる。この際、補助踏み台３５の側面２０の下縁２０ｂと踏板１０の段鼻１３の先端１３ａとが重なっているので、誤って、補助踏み台３５の側面２０の下方の踏板１０の段鼻１３に触れることなく、確実に踏板１０と補助踏み台３５を使って安全に歩行できる。
【００９５】
また、補助踏み台３５を使用しない使用者は、階段巾が狭くなった影響をうけることなく、階段の内周側を使用して歩行できるので、使用に支障がない。
【００９６】
（５）  また、前記実施例において、通常の廻り階段と同様に、踏板１０Ａを支柱５２に安定して固定できれば、ささら桁２は不要である（図示していない）。
【図面の簡単な説明】
【００９７】
【図１】この発明の第１の実施例の補助踏み台の斜視図である。
【図２】同じく第１の実施例の補助踏み台の使用した階段で、（ａ）は一部平面図、（ｂ）は一部正面図である。
【図３】同じく補助踏み台を格納した階段で、（ａ）は一部平面図、（ｂ）は一部正面図である。
【図４】この発明の第２の実施例で、（ａ）は補助踏み台を使用した階段の一部平面図、（ｂ）は（ａ）のＡ−Ａ断面図
【図５】同じく第２の実施例の補助踏み台縦断面図である。
【図６】この発明の第２の実施例の他の階段（廻り階段）の平面図で（ａ）は補助踏み台の格納状態、（ｂ）は装着状態を夫々表す。
【図７】同じく他の階段の縦断面図で（ａ）は補助踏み台の格納状態、（ｂ）は装着状態を夫々表す。
【図８】同じく他の階段の他の縦断面図で（ａ）は補助踏み台の格納状態、（ｂ）は装着状態を夫々表す。
【図９】この発明の第３の実施例の階段で、（ａ）は平面図、（ｂ）は（ａ）のＢ−Ｂ線における断面図である。
【符号の説明】
【００９８】
１      階段基体
２      ささら桁
３      ささら桁の内面
４      ささら桁の上縁
５      ささら桁の保持部
１０    踏板
１１    踏板の上面
１２    踏板の下面
１３    踏板の段鼻部
１３ａ  踏板の段鼻部の先端
１４    踏板の段鼻部と反対の縁
１５    踏板下方の空隙
１６    補助踏み台本体
１７    補助踏み台本体の一縦稜線
１８    踏板の側面
１９    踏板の側面
２０    踏板の側面
２０ａ  踏板の段鼻
２０ｂ  踏板の側面２０の下縁
２１    踏板の側面
２２    踏板の底面
２３    踏板の踏み面（上面）
２５    係止具（使用時）
２６    係止具の摺動片
２７    係止具（格納時）
２８    係止具の摺動片
３０    蝶番
３１    蝶番の回転軸（縦軸）
３２    蝶番の一片
３３    蝶番の他片
３５    補助踏み台
４０    補助踏み台付きの階段
４５    踏板の上面のねじ穴
４６    踏板の下面のねじ穴
４８    ボルト
５２    階段基体の支柱
【図１】
2006342509.tif 000003
【図２】
2006342509.tif 000004
【図３】
2006342509.tif 000005
【図４】
2006342509.tif 000006
【図５】
2006342509.tif 000007
【図６】
2006342509.tif 000008
【図７】
2006342509.tif 000009
【図８】
2006342509.tif 000010
【図９】
2006342509.tif 000011